(57)【要約】【課題】  死線ケーブルと活線ケーブルのそれぞれの判別を経験や熟練を要することなく簡単かつ確実に行うことができ、迅速に検知することのできるケーブル検電器を提供する。【解決手段】  検電対象のケーブルに当接させて電磁波を検出するサーチコイルからなるセンサー１６と、前記センサー１６を介して、信号発信器から発せられる商用周波数以外の所定の周波数からなる信号電流を検出する信号電流検出機構１７と、前記センサー１６を介して、商用周波数からなる商用電流を検出する商用電流検出機構１８とを有する受信機本体からなるケーブル検電器であって、前記信号電流検出機構１７及び前記商用電流検出機構１８は、バンドパスフィルタ２０、２６と、レベル検出器２１、２７と、電流表示手段２４、２９を備え、前記受信機本体の少なくとも前記ケーブルと当接する反対側の側面に、前記電磁波の透過を妨げるための遮蔽板が備わる。【選択図】        図４
2008164460.tif 000002
【特許請求の範囲】
【請求項１】
検電対象のケーブルに当接させて電磁波を検出するサーチコイルからなるセンサーと、
前記センサーを介して、信号発信器から発せられる商用周波数以外の所定の周波数からなる信号電流を検出する信号電流検出機構と、
前記センサーを介して、商用周波数からなる商用電流を検出する商用電流検出機構とを有する受信機本体からなるケーブル検電器であって、
前記信号電流検出機構は、前記信号電流のみを通す信号電流用バンドパスフィルタと、当該信号電流用バンドパスフィルタを通過した前記信号電流の検出レベルを測定する信号電流レベル検出器と、前記信号電流の検出レベルが所定値以上であることを示す信号電流表示手段を備え、
前記商用電流検出機構は、前記商用電流のみを通す商用電流用バンドパスフィルタと、当該商用電流用バンドパスフィルタを通過した前記商用電流の検出レベルを測定する商用電流レベル検出器と、前記商用電流の検出レベルが所定値以上であることを示す商用電流表示手段を備え、
前記受信機本体の少なくとも前記ケーブルと当接する反対側の側面に、前記電磁波の透過を妨げるための遮蔽板が備わることを特徴とするケーブル検電器。
【請求項２】
前記商用電流検出機構には、前記商用電流を検出する感度を調整可能な感度調整機構が備わることを特徴とする請求項１に記載のケーブル検電器。
【請求項３】
前記信号電流の周波数及び電流値は、500Ｈｚ〜1ｋＨｚ及び1〜5アンペアであることを特徴とする請求項１又は２に記載のケーブル検電器。
【発明の詳細な説明】
【技術分野】
【０００１】
この発明は、マンホールや洞道等において、対象ケーブルの検出乃至ケーブルの死活状況を確認するための電力その他のケーブル検電器に関するものである。
【背景技術】
【０００２】
従来、マンホールや洞道において、対象ケーブルの検出や、ケーブルの死活状況を確認するときは、ケーブルの電磁場をサーチコイルからなるセンサーで検出し、増幅器を通して検流計の振れやイヤホンによる音により行っていた。この電磁場は、出力電流を可変抵抗器にて変化させてフリッカー調整する発信器をケーブルヘッドに取り付け、商用周波数の断続的な電流をケーブルに注入して発生される。上記センサーは、このフリッカー電流の電磁場を検出するものである。
【０００３】
このようなケーブルの検出や死活線の判別は、マンホールや洞道においてケーブルの切断を行う際に実施される。しかし、マンホールや洞道には、ケーブルが多数敷設され、死線ケーブルや活線ケーブルが多数混在している。このため、検電すべき死線ケーブルの近傍に活線ケーブルが存在し、この活線ケーブルの電磁場の影響を受け、検流計の針が振れてしまう。そこで、従来では、検流計の振れを感度調整し、フリッカー電流に留意してケーブルの死活線判断を行っていた。しかし、これには、作業者の経験と熟練とを要するため、確実性に欠け、経験と熟練を積んだ作業者によらなければ作業を行うことができず、迅速な作業の妨げとなっている。
【０００４】
一方、ケーブルの死活判別を誤って検知することを防止するための電力ケーブル検電装置及びこれを用いた電力ケーブルの死活線判別方法が特許文献１に記載されている。
【０００５】
【特許文献１】特許第３００９１４４号公報
【発明の開示】
【発明が解決しようとする課題】
【０００６】
しかしながら、特許文献１に記載の電力ケーブル検電装置及びこれを用いた電力ケーブルの死活線判別方法は、確かに操作が簡単なため、経験や熟練を要することなく死活線の判断を行うことができるが、商用周波数電流が流れる活線ケーブルを検出する機構を備えていない。現場における死活線判断作業において、死線と活線を検出できる機構があれば便利であり、好ましいといえる。
【０００７】
この発明は、上記従来技術を考慮したものであって、死線ケーブルと活線ケーブルのそれぞれの判別を経験や熟練を要することなく簡単かつ確実に行うことができ、迅速に検知することのできるケーブル検電器の提供を目的とするものである。
【課題を解決するための手段】
【０００８】
前記目的を達成するため、請求項１の発明では、検電対象のケーブルに当接させて電磁波を検出するサーチコイルからなるセンサーと、前記センサーを介して、信号発信器から発せられる商用周波数以外の所定の周波数からなる信号電流を検出する信号電流検出機構と、前記センサーを介して、商用周波数からなる商用電流を検出する商用電流検出機構とを有する受信機本体からなるケーブル検電器であって、前記信号電流検出機構は、前記信号電流のみを通す信号電流用バンドパスフィルタと、当該信号電流用バンドパスフィルタを通過した前記信号電流の検出レベルを測定する信号電流レベル検出器と、前記信号電流の検出レベルが所定値以上であることを示す信号電流表示手段を備え、前記商用電流検出機構は、前記商用電流のみを通す商用電流用バンドパスフィルタと、当該商用電流用バンドパスフィルタを通過した前記商用電流の検出レベルを測定する商用電流レベル検出器と、前記商用電流の検出レベルが所定値以上であることを示す商用電流表示手段を備え、前記受信機本体の少なくとも前記ケーブルと当接する反対側の側面に、前記電磁波の透過を妨げるための遮蔽板が備わることを特徴とするケーブル検電器を提供する。
【０００９】
請求項２の発明では、請求項１の発明において、前記商用電流検出機構には、前記商用電流を検出する感度を調整可能な感度調整機構が備わることを特徴としている。
【００１０】
請求項３の発明では、請求項１又は２の発明において、前記信号電流の周波数及び電流値は、500Ｈｚ〜1ｋＨｚ及び1〜5アンペアであることを特徴としている。
【発明の効果】
【００１１】
請求項１の発明によれば、商用周波数以外の所定の周波数を発信信号として、この信号電流を検出するため、確実に対象ケーブルの検出乃至判別を行うことができる。また、信号電流検出機構と商用電流検出機構の両方を備えるため、対象ケーブルが信号電流が流れる死線ケーブルと判別できることに加え、対象ケーブルが商用電流が流れる活線ケーブルかについても確実に判別することができる。また、センサーと信号電流検出機構と商用電流検出機構が受信機本体に一体に形成されるため、装置が小型化し、作業が迅速かつ容易となる。また、少なくともケーブルと当接させる面の反対側の側面に遮蔽板が備わるため、対象ケーブル近傍のケーブルの電磁波を遮蔽することができ、対象ケーブルの電磁場のみを確実にセンサーで検知して検電作業を行うことができる。なお、この当接には、センサーがケーブルに対し物理的に接触することのほか、非接触ではあるが非常に近接している状態も含むものとする。
【００１２】
また、請求項２の発明によれば、商用電流検出機構には、商用電流を検出する感度を調整可能な感度調整機構が備わるため、商用電流の磁界の大きさによる検出レベルの強弱に左右されず、確実に対象ケーブルを判別することができる。すなわち、センサーを対象ケーブルに当接させて、対象ケーブルの検電中に、近傍のケーブルからの商用周波数の感度を操作することにより、その判断を確実なものとすることができる。また、ケーブルの種類により電磁波の透過性が異なる場合も、感度調整により、確実に検出できる。
【００１３】
また、請求項３の発明によれば、信号発信器から発せられる商用周波数以外の所定の周波数は、500Ｈｚ〜1ｋＨｚであるため、５０Ｈｚ又は６０Ｈｚの商用周波数に対してほぼ１０倍以上となり、信号電流と商用電流を誤って認識することを確実に防止できる。また、一般的に電磁波が通過しやすいＣＶケーブルが対象であっても、電流値が1〜5アンペアと小さいため、商用電流が通るケーブルを検出中に信号電流の影響を小さくすることができる。さらに、このような場合において、受信機本体に遮蔽板が備わるため、当該ケーブルからの電磁波をセンサーで誤って検知することを防止できる。
【発明を実施するための最良の形態】
【００１４】
この発明は、検電対象のケーブルの電磁場を検出するセンサーと、信号発信器から発せられる商用周波数以外の所定の周波数からなる信号電流を検出する信号電流検出機構と、商用周波数からなる商用電流を検出する商用電流検出機構とを有する受信機本体を備え、確実に対象ケーブルの判別を行うことができ、さらに検電対象以外の電力ケーブルを検電しても、それが商用電流が流れる活線ケーブルであることを確実に判別できるケーブル検電器である。
【実施例】
【００１５】
図１はこの発明に係るケーブル検電器による検電状態を示す概略図である。図２は信号発信器の概略図である。
【００１６】
洞道１には電力ケーブル２が多数本敷設される（図１ではヘッド及び端末部を除き１本のみ記載）。電力ケーブル２の一端のケーブルヘッド３には、信号発信器４が接続される。電力ケーブル２の他方の端部は短絡接地されている。洞道１の任意の中間地点には、マンホール５が形成される。検電作業は、マンホール５から洞道１内に進入した作業者が、洞道１内で電力ケーブル２に検電器６を当接させることにより行われる。検電器６は、信号発信器４が接続された電力ケーブル２ａ（図３参照）及び商用電流が流れる電力ケーブル２ｂ（図３参照）を識別するものである。なお、この例では電力ケーブルを識別する例を示すが、通信ケーブル等の識別にも利用できる。
【００１７】
信号発信器４は、商用周波数以外の所定の周波数の出力電流を、断続的に出力させた信号電流として発信させるものである。図２に示すように、信号発信器４には、電源スイッチ１０と、例えば定格電流の倍で動作するノーヒューズブレーカ１１と、信号電流を流すための通電開始スイッチ１２と、信号電流の出力を表示する出力電流メーター１３が備わる。また、信号発信器４とケーブルヘッド３を接続するための接続ケーブル１４を収納する収納部１５も備わる。
【００１８】
検電器６は、この信号電流を後述するフィルター回路で検出するものである。したがって、洞道１内に多数本敷設された電力ケーブル２の中から、作業者は、信号電流が流れている電力ケーブルを、マンホール５等の信号発信器４から離れた位置で確認することができる。
【００１９】
図３はケーブルの検電状態の概略を示す断面図である。
【００２０】
上述したように、電力ケーブル２の検電は検電器６を電力ケーブル２の外周に当接させて行われる。図では、例として４箇所（Ａ，Ｂ，Ｃ，Ｄの位置）に当接させた例を示す。図では、電力ケーブル２ａに信号電流が流れている。例えば、電力ケーブル２ａが図のような３芯ケーブルの場合、２線に往復の信号電流が流れ、電力ケーブル２ａ外に漏洩する磁束７を検電器６で検出する（図のＡの位置）。このように、商用周波数以外の所定の周波数を発信信号として、この信号電流を検出するため、確実に対象ケーブルの判別を行うことができる。
【００２１】
検電器６は、信号電流の検出に加えて、商用周波数からなる商用電流を検出することもできる。したがって、商用電流が流れる電力ケーブル２ｂに検電器６を当接（例えば図のＢ，Ｃ，Ｄの位置）させて、当該ケーブル２ｂが商用電流が流れる電力ケーブル２ｂであると確認できる。すなわち、信号電流検出機構と商用電流検出機構の両方を備える検電器６により、電力ケーブルの死活線判断を確実に行うことができる。
【００２２】
検電器６は受信機本体８と遮蔽板９で構成される。受信機本体８には漏洩磁束７を検出するためのセンサー（図示省略）が備わる。受信機本体８の、少なくとも電力ケーブル２と当接するセンサーの反対側の側面には、遮蔽板９が備わる。この遮蔽板９は、ケイ素鋼板からなり、電磁波を遮蔽するものである。上述したように、信号電流が流れる電力ケーブル２ａと、商用電流が流れる電力ケーブル２ｂは、近接して敷設される。このような状況においても、遮蔽板９により、検電器６で対象ケーブルの漏洩磁束を検出中に、他の電力ケーブルの漏洩磁束を誤って検出することを防止できる。したがって、対象ケーブルのみの電磁場を確実にセンサーで検知して検電作業を行うことができる。例えば、隣接するケーブル２ａと２ｂの間に検電器６を配置した状態（図のＡやＢの位置）では、遮蔽板９が対象ケーブル以外の隣接ケーブル２ａ又は２ｂと対向することになるため、隣接ケーブル２ａ又は２ｂの電磁波を遮蔽する。これにより、他方のケーブルの電磁波は遮断されるか、又は検出レベルの強弱の差が大きくなり、容易に対象ケーブルと非対象ケーブルを検出できる。
【００２３】
図４はこの発明に係るケーブル検電器の概略構成図であり、図５はその外観図である。
【００２４】
検電器６において、漏洩磁束を検出するためのサーチコイルからなるセンサー１６に、信号電流検出機構１７と商用電流検出機構１８が相互に並列に接続される。信号電流検出機構１７は、増幅器１９と、信号電流のみを通す信号電流用バンドパスフィルタ２０と、当該信号電流用バンドパスフィルタ２０を通過した信号電流の検出レベルを測定する信号電流レベル検出器２１と、当該信号電流レベル検出器２１による信号電流の検出レベルが所定値以上であることを示すブザー２２やランプ２３からなる信号電流表示手段２４で構成される。また、商用電流検出機構１８は、増幅器２５と、商用電流のみを通す商用電流用バンドパスフィルタ２６と、当該商用電流用バンドパスフィルタ２６を通過した商用電流の検出レベルを測定する商用電流レベル検出器２７と、当該商用電流レベル検出器２７による商用電流の検出レベルが所定値以上であることを示すブザー３０やランプ３１、またその検出レベルを表示するレベルメーター２８からなる商用電流表示手段２９で構成される。このように、センサー１６と信号電流検出機構１７と商用電流検出機構１８が受信機本体８に一体に形成されるため、装置が小型化し、作業が迅速かつ容易となる。
【００２５】
対象ケーブルが、信号電流が流れる電力ケーブルである場合、まずセンサー１６が対象ケーブルからの漏洩磁束７（図３参照）を検出する。検出された信号電流は、検電器６内の増幅器１９により増幅される。次に、信号電流のみを通す信号電流用バンドパスフィルタ２０を通る。このとき、検出された信号電流が商用電流検出機構１８内の増幅器２５を通っても、商用電流用バンドパスフィルタ２６を通過できないので、当該信号電流は商用電流検出機構１８においてその後の処理をされることはない。信号電流用バンドパスフィルタ２０を通過した信号電流は、その検出レベルが所定レベル以上であれば、信号電流レベル検出器２１にて検出され、当該ケーブルが信号電流が流れる電力ケーブルであるとして、ランプ２３等により表示される。なお、このランプ２３は信号電流のフリッカー出力に合わせて点滅する。
【００２６】
信号電流は、500Ｈｚ〜1ｋＨｚ及び1〜5アンペアとすることが好ましい。このようにすることにより、５０Ｈｚ又は６０Ｈｚの商用周波数に対してほぼ１０倍以上となり、信号電流と商用電流を誤って認識することを確実に防止できる。また、1〜5アンペアと電流値を小さくすることにより、一般的に電磁波が通過しやすいＣＶケーブルが対象であっても、商用電流が通るケーブルを検出中に信号電流の影響を小さくすることができる。さらに、このような場合において、受信機本体８に遮蔽板９（図３参照）が備わるため、当該ＣＶケーブルからの電磁波をセンサー１６で誤って検知することを防止できる。このような効果は、特に図３における検電器６がＢの位置において顕著に現れる。
【００２７】
対象ケーブルが、商用電流が流れる電力ケーブルである場合は、センサー１６がその漏洩磁束を検出し、増幅器２５により増幅される。商用電流は、商用電流検出機構１８内の商用電流用バンドパスフィルタ２６のみを通過し、商用電流レベル検出器２７にてその検出レベルを測定される。これにより、ランプ３１やレベルメーター２８等により、表示される。
【００２８】
商用電流検出機構１８には、さらに感度調整機能３２が備わる。この感度調整機能３２は、商用電流の検出レベルを調整するものである。例えば、図３のＡの位置で検電作業を行っている場合において、信号電流を示すランプ２３と商用電流を示すランプ３１が両方点灯した場合、商用電流の検出レベルの感度を落とすことにより、ランプ３１が消灯又はレベルメーター２８の強弱で対象ケーブルに信号電流が流れていると判断できる。すなわち、商用電流の周波数は磁界の大きさにより検出レベルの強弱があるため、その強弱を併用して信号電流の周波数を的確に検出する回路構成としている。また、感度調整機能３２により、商用電流の検出レベルのオーバー等にも対応できる。
【００２９】
なお、図５に示す検電器６において、３３は検電器６のバッテリー状態をチェックするためのバッテリーチェックボタンである。また、３４は、検出スイッチであり、押したままで漏洩磁束の検出をするものである。待機電流をゼロとすれば、バッテリー容量の節約をすることが出来る。
【００３０】
また、図１に示す信号発信器４を電力ケーブルに接続しない場合においても、この発明に係る検電器６を用いれば、商用電流が流れる電力ケーブルを判別できるので、死活線の判別作業を行うことができる。
【図面の簡単な説明】
【００３１】
【図１】この発明に係るケーブル検電器による検電状態を示す概略図である。
【図２】信号発信器の概略図である。
【図３】ケーブルの検電状態の概略を示す断面図である。
【図４】この発明に係るケーブル検電器の概略構成図である。
【図５】この発明に係るケーブル検電器の外観図である。
【符号の説明】
【００３２】
１：洞道、２：電力ケーブル、３：ケーブルヘッド、４：信号発信器、５：マンホール、６：検電器、７：漏洩磁束、８：受信機本体、９：遮蔽板、１０：電源スイッチ、１１：ノーヒューズブレーカ、１２：通電開始スイッチ、１３：出力電流メーター、１４：接続ケーブル、１５：収納部、１６：センサー、１７：信号電流検出機構、１８：商用電流検出機構、１９：増幅器、２０：信号電流用バンドパスフィルタ、２１：信号電流レベル検出器、２２：ブザー、２３：ランプ、２４：信号電流表示手段、２５：増幅器、２６：商用電流用バンドパスフィルタ、２７：商用電流レベル検出器、２８：レベルメーター、２９：商用電流表示手段、３０：ブザー、３１：ランプ、３２：感度調整機能、３３：バッテリーチェックボタン、３４：検出スイッチ
【図１】
2008164460.tif 000003
【図２】
2008164460.tif 000004
【図３】
2008164460.tif 000005
【図４】
2008164460.tif 000006
【図５】
2008164460.tif 000007